(57)【要約】【課題】本発明は、パンティ部の前縁及び後縁に縫合線のないウエスト付きストッキングを提供することにある。また、他の目的はトーションレース機により簡単かつ安価に連続して製造できるウエスト付きストッキングを提供する。【解決手段】請求項１に記載の発明は、胴通し穴を有する中央編み部と、該中央編み部を挟んで脚通し口を対向させた袋編み部とを弾性糸を用いて編成し、前記中央編み部の胴通し穴の周囲の編目を他の編目に比して密にするとともに、前記袋編み部の端部を縫合してなり、請求項２に記載の発明は、中央部の一側縁に胴通し穴を有する袋編み部と、該袋編み部に沿って２枚重ねの帯編み部とを弾性糸を用いて編成し、該帯編み部の各枚を前記胴通し穴の周囲に交絡するとともに、該交絡始点と終点にて互いに交絡し、該帯編み部を前記袋編み部との交絡部を残してカットし、かつ、前記袋編み部の端部を縫合してなるものである。【選択図】図１
2006144188.tif 000002
【特許請求の範囲】
【請求項１】
胴通し穴を有する中央編み部と、該中央編み部を挟んで脚通し口を対向させた袋編み部とを弾性糸を用いて編成し、前記中央編み部の胴通し穴の周囲の編目を他の編目に比して密にするとともに、前記袋編み部の端部を縫合してなることを特徴とするウエスト付きストッキング。
【請求項２】
中央部の一側縁に胴通し穴を有する袋編み部と、該袋編み部に沿って２枚重ねの帯編み部とを弾性糸を用いて編成し、該帯編み部の各枚を前記胴通し穴の周囲に交絡するとともに、該交絡始点と終点にて互いに交絡し、該帯編み部を前記袋編み部との交絡部を残してカットし、かつ、前記袋編み部の端部を縫合したことを特徴とするウエスト付きストッキング。
【発明の詳細な説明】
【技術分野】
【０００１】
本発明は、トーションレース機により連続して編成することのできるウエスト付きストッキングに関するものである。
【背景技術】
【０００２】
従来、ウエスト付きストッキングは、例えば、特開平８−３８０１号の如く、１本づつ編成した２本のストッキングをパンティ部の前縁と後縁とを縫合した後、該パンティ部の上縁にウエストバンドを逢着していた。このウエスト付きストッキングでは、爪先部の縫合、パンティ部の前縁と後縁との縫合、パンティ部の上縁とウエストバンドとの縫合の必要があった。
【特許文献１】特開平８−３８０１号
【発明の開示】
【発明が解決しようとする課題】
【０００３】
しかしながら、上記ウエスト付きストッキングは、各爪先部の縫合はともかくとして、各本のストッキングのパンティ部の前縁と後縁との縫合、及びパンティ部の上縁とウエストバンドとの縫合は、編地自体が薄いため困難を極めていたために縫製コストが高くなったばかりでなく、縫合部が硬い線条となってしまったため、肌に違和感を与えることから履き心地の悪い物となるという欠点があった。
【０００４】
本発明は、上記の問題を解消するためのもので、その目的とするところは、パンティ部の前縁及び後縁に縫合線のないウエスト付きストッキングを提供することにある。また、他の目的はトーションレース機により簡単かつ安価に連続して製造できるウエスト付きストッキングを提供することにある。
【課題を解決するための手段】
【０００５】
上記目的を達成するため、請求項１に記載の発明は、胴通し穴を有する中央編み部と、該中央編み部を挟んで脚通し口を対向させた袋編み部とを弾性糸を用いて編成し、前記中央編み部の胴通し穴の周囲の編目を他の編目に比して密にするとともに、前記袋編み部の端部を縫合してなることを特徴とし、パンティ部に縫合線が表れない、股部が開放されたウエスト付きストッキングが得られるように構成した。
【０００６】
また、請求項２に記載の発明は、中央部の一側縁に胴通し穴を有する袋編み部と、該袋編み部に沿って２枚重ねの帯編み部とを弾性糸を用いて編成し、該帯編み部の各枚を前記胴通し穴の周囲に交絡するとともに、該交絡始点と終点にて互いに交絡し、該帯編み部を前記袋編み部との交絡部を残してカットし、かつ、前記袋編み部の端部を縫合したことを特徴とし、パンティ部に縫合線が表れない、股部が閉じられたウエスト付きストッキングが得られるように構成した。
【発明の効果】
【０００７】
請求項１に記載の発明は、胴通し穴の周囲の編目を他の編目に比して密にすることによりウエストバンド化され、脚通し口を有する袋編み部がストッキングとなり、胴通し穴を有する中央編み部がパンティ部となり、該パンティ部は股部が開放されるため、ショーツ（パンティ）と重ね履きしても嵩張らず、しかもパンティ部となる中央編み部には縫合線が表れないため、着用時に腰部の肌への違和感を与えないなど各種の優れた効果を奏するものである。
【０００８】
また、請求項２に記載の発明は、中央部の一側縁に胴通し穴を有する袋編み部と、該袋編み部に沿って２枚重ねの帯編み部とが平行に編成され、帯編み部の各枚が袋編み部の胴通し穴の周囲に交絡するとともに、帯編み部が環状化してウエストバンドとなる。しかも袋編み部がストッキング及びパンティ部となるから、股部が閉じられるようになるとともに、パンティ部に縫合線が表れず、腰部の肌への違和感を与えないなど各種の優れた効果を奏するものである。
【発明を実施するための最良の形態】
【０００９】
次に、本発明の実施の態様を添付図面に基づいて説明する。図１は股部が開放された本願ストッキングの着用時の正面図、図２は同ストッキングの着用時の背面図、図３は同ストッキングを着用する過程を示す斜視図、図４は同ストッキングの連続製造状態を略示的に示す平面図、図５は股部が閉じられた本願ストッキングの着用時の斜視図、図６は同ストッキングの着用前の正面図、図７は同ストッキングの連続製造状態を略示的に示す平面図である。
【００１０】
図１〜図４において、１は股部が開放された本願ストッキングである。この本願ストッキング１は、図４の如く、胴通し穴２を有する中央編み部３と、該中央編み部３を挟んで脚通し口４、４′が対向する袋編み部５、５′とを一単位Ａとして弾性糸（たとえば、ゴム糸を芯材としてプラスチック繊維をカバーリングした糸）を用いて連続して編成し、一単位Ａ毎にカット９、９′し、該カット端を縫合してなる。
【００１１】
前記袋編み部５、５′はカット９、９′する個所は予め高密編目８に編成し、カットにより編み糸のホツレがないようにしている。また、足底となる部分５ａと爪先５ｂとなる部分も他の編目部分より高密編目８となっていると縫合６し易く丈夫となるので好ましいものである。前記本願ストッキング１の材料が熱可塑性のものであれば、カット９、９′する際に、ロックミシンを使うと、カットと同時に縫合６できる点で好ましい。
【００１２】
前記本願ストッキング１は中央編み部３を挟んで袋編み部５、５′の脚通し口４、４′が対向されているため、図３の如く、人体の左右の脚Ｌ1 、Ｌ2 を、胴通し穴２から脚通し口４、４′を通して袋編み部５、５′に挿入し、胴通し穴２を人体のウエストまで引き上げるように履くこととなる。この場合、胴通し穴２の周囲の編目を他の編目に比して高密編目８にすることによりウエストバンドＷとなる。
【００１３】
前記脚通し口４、４′の口縁は、図４の如く、丸Ｖ状に形成しておくと、着用時、該口縁のラインが内腿部に美麗に表れる。また、胴通し穴２を有する中央編み部３が股部が開放された尻部を覆うパンティ部Ｐとなるため縫合線が表れないし、ショーツ（パンティ）と重ね履きしても嵩張らない。
【００１４】
前記中央編み部３には、その胴通し穴２を挟んだ位置に開口穴７を編成している。これは中央編み部３が尻部を覆うパンティ部Ｐとなるときに、左右両腰部を開放させ、ショーツ（パンティ）との重ね履き時に、ダブつきがより軽減されるようにしている。
【００１５】
図５〜図７において、１′は股部が閉じられた本願ストッキングを示している。この本願ストッキング１′は、図７の如く、中央部の一側縁に胴通し穴２を有する袋編み部５、５′と、該袋編み部５、５′に沿って２枚重ねの帯編み部１０、１０′とをそれぞれ弾性糸を用いて編成し、該帯編み部１０、１０′の各枚ごとに、前記胴通し穴２の周囲に交絡Ｒさせるとともに、該交絡始点Ｒ1 と終点Ｒ2 にて互いに交絡Ｒ′、Ｒ″して環状部１１を形成し、しかる後、該帯編み部１０、１０′を前記環状部１１を残してカットする。このカット端１１′、１１″はリボン状になる。前記袋編み部５、５′の先端部は予め高密編目８に編成されたているためカット９、９′して縫合６してもホツレない。
【００１６】
前記袋編み部５、５′のカット９、９′する個所の足底となる部分５ａと爪先となる部分５ｂも高密編目８になっていると丈夫になる。前記本願ストッキング１′の材料が熱可塑性のものであれば、カット９、９′する際に、ロックミシンを使うと、カットと同時に縫合６できる点で有効である。
【００１７】
前記本願ストッキング１′は、人体の左右の脚を、帯編み部の各枚が交絡した胴通し穴２から袋編み部に挿入し、該胴通し穴２を人体のウエストまで引き上げると、該胴通し穴２の周囲に交絡されている前記帯編み部１０、１０′の環状部１１はウエストバンドＷとなる。この場合、帯編み部１０、１０′のリボン状に残っているカット端１１′、１１″は、装飾物として見られ、ファッション的に邪魔になることはない。
【実施例１】
【００１８】
今、トーションレース編機を用いて、図４の如く、袋編み部５／中央編み部３／袋編み部５′／袋編み部５／中央編み部３／袋編み部５′／袋編み部５の如く、ナイロン系の弾性糸を用いて扁平に編成する。この場合、中央編み部３の中央の胴通し穴４の長さ方向の寸法を１６０ｍｍとし、胴通し穴４を挟んで設けた腰脇開口穴７、７の長さ方向の寸法を１００ｍｍとし、全幅を８０ｍｍ、単位物Ａの全長（カット線９、９′間の寸法をいう）を１６００ｍｍとして編成し、該カット９、９′よりロックミシンを使って縫合カットし、これを伸長１４８〜１６２ｃｍ、体重４５〜６３ｋｇの女性（全員が２０代）の１０人に９月初旬の朝１０時頃に、ショーツの上から着用してもらい、着用時の履き易さ、履いた後のフット感、腰周辺の締め付け感についてアンケートをとったところ、全員が総ての項目について「良好」との答えた。
【実施例２】
【００１９】
次に、上記全員に着用したまま、朝１０時〜午後３時までの５時間にわたって連続して生活してもらい、脱いでリラックスしてから連続着用時の印象を聴いたところ、概ね、次のような満足する感想が得られた。
（１）フット感、腰周辺の締め付け感は着用時の状態のままズット保たれた。
（２）靴を履いたり脱いだりしても爪先部や踵部がズレてしまうことがなかった。
（３）脚全体にイイ緊張があり、ダブつくことがなかった。
（４）歩いているときにストッキングの脱げる感じは無かった。
【産業上の利用可能性】
【００２０】
本願ストッキング１、１′は、人体の左右の脚を袋編み部５、５′に挿入したときに、前記胴通し穴２の周囲がパンティ部Ｐとなるもので、パンティ部Ｐに縫合線が表れない。したがって、腰部への違和感がないものとなる。また、本願ストッキング１、１′は、トーションレース機を用いて連続して安価に製造でき、しかも、爪先部のみ縫合すれば、ウエスト付きストッキングとして完成するので、一般に安価に提供できるものである。
【図面の簡単な説明】
【００２１】
【図１】股部が開放された本願ストッキングの着用時の正面図である。
【図２】同ストッキングの着用時の背面図である。
【図３】同ストッキングを着用する過程を示す斜視図である。
【図４】同ストッキングの連続製造状態を略示的に示す平面図である。
【図５】股部が閉じられた本願ストッキングの着用時の斜視図である。
【図６】同ストッキングの着用前の正面図である。
【図７】同ストッキングの連続製造状態を略示的に示す平面図である。
【符号の説明】
【００２２】
１  本願ストッキング（股部が開放されたもの）
１′  本願ストッキング（股部が開じたもの）
２  胴通し穴
３  一重編み部
４、４′  脚通し口
５、５′  袋編み部
５ａ  袋編み部の先端部
５ａ′  足底
５ｂ′  爪先
６  縫合
７  腰脇開口穴
８  高密編目
９、９′  カット（一点鎖線）
１０、１０′  帯編み部
１１  環状部
１１′、１１″  カット端
Ａ  単位物
Ｌ1 、Ｌ2   脚
Ｐ  パンティ部
Ｒ  交絡
Ｒ1   交絡始点
Ｒ2   交絡終点
Ｒ′、Ｒ″  帯編み部相互の交絡
【図１】
2006144188.tif 000003
【図２】
2006144188.tif 000004
【図３】
2006144188.tif 000005
【図４】
2006144188.tif 000006
【図５】
2006144188.tif 000007
【図６】
2006144188.tif 000008
【図７】
2006144188.tif 000009